(57)【要約】【課題】簡素な機構で流体の流路を切り換える。【解決手段】第１可動壁３９を移動させることで、第１仕切壁３１の４つの流通穴（６１、６２、６３、６４）と第１可動壁３９の３つの挿通穴（６６、６７、６８）の連通する位置が第１可動壁３９の移動端で変更され（３つの挿通穴と４つの流通穴の開口部位の組み合わせが変更され）、流路が切り換えられて第１状態と第２状態が達成され、３つの挿通穴を備えた可動壁を４つの流通穴を備えた仕切壁に沿って往復移動させる簡素な機構で、流体の流路を切り換える。【選択図】  図６
2018115822.tif 000002
【特許請求の範囲】
【請求項１】
第１分割壁により一方側と他方側に分割される第１室と、
前記第１分割壁の壁面と交差する壁面を有する第２分割壁により一方側と他方側に分割される第２室と、
往復移動することで、
第１室の一方側と第２室の一方側、第１室の他方側と第２室の他方側の流体の流通を可能にする第１状態、及び、
第１室の一方側と第２室の他方側、第１室の他方側と第２室の一方側の流体の流通を可能にする第２状態の間で、
流路を交互に切り換える可動壁とを備えた
ことを特徴とする流路切換え装置。
【請求項２】
請求項１に記載の流路切換え装置において、
前記第１室及び前記第２室は仕切壁により仕切られ、
前記仕切壁には複数の流通穴が形成されると共に、前記可動壁には前記流通穴よりも数が少ない複数の挿通穴が形成され、
前記可動壁が前記仕切壁に沿って往復移動することで、前記流通穴と前記挿通穴の連通箇所が変更され、流路が前記第１状態と前記第２状態との間で切り換えられることを特徴とする
ことを特徴とする流路切換え装置。
【請求項３】
請求項２に記載の流路切換え装置において、
前記仕切壁には４つの流通穴が備えられ、
前記可動壁は前記仕切壁と前記第２分割壁との間に配されると共に、３つの挿通穴が形成され、
前記４つの流通穴は、
前記第１分割壁で分割された前記第１室の一方側で、前記第２分割壁で分割された前記第２室の一方側に開口する第１一方流通穴と、
前記第１分割壁で分割された前記第１室の他方側で、前記第２分割壁で分割された前記第２室の一方側に開口する第２一方流通穴と、
前記第１分割壁で分割された前記第１室の一方側で、前記第２分割壁で分割された前記第２室の他方側に開口する第１他方流通穴と、
第１分割壁で仕切られた第１室の他方側で、第２分割壁で仕切られた第２室の他方側に開口する第２他方流通穴とから構成され、
前記可動壁の前記３つの挿通穴は、
前記可動壁が一方側に移動した状態で、
３つのうちの２つの挿通穴が、前記第１一方流通穴、及び、前記第２他方流通穴にそれぞれ連通して、前記第１室の一方側と前記第２室の一方側の流体の流通を可能にすると共に、前記第１室の他方側と前記第２室の他方側の流体の流通を可能にする、前記第１状態とされ、
前記可動壁が他方側に移動した状態で、
前記第１一方流通穴、及び、前記第２他方流通穴に連通しない挿通穴を含む２つの挿通穴が、前記第２一方流通穴、及び、前記第１他方流通穴にそれぞれ連通して、前記第１室の一方側と前記第２室の他方側の流体の流通を可能にする共に、前記第１室の他方側と前記第２室の一方側の流体の流通を可能にする、前記第２状態とされる
ことを特徴とする流路切換え装置。
【発明の詳細な説明】
【技術分野】
【０００１】
本発明は、流体の流路を切り換える流路切換え装置に関する。
【背景技術】
【０００２】
例えば、冷却下で流体を接触させることで流体の水分を吸着すると共に、加熱下で流体を接触させることで吸着した水分を脱着するデシカント部材を用いた空調システムが知られている。デシカント部材を用いた空調システムでは、２つの経路を切り換えて、デシカントブロックで空気の水分を吸着して除湿を行い、除湿された空気を室内に送る冷房（除湿）経路と、室内からの環気をデシカントブロックに接触させて吸着された水分を脱着して排出流体とする経路とが切り換えられるようになっている。
【０００３】
流路を切り換える装置としては、複数の流路を選択的に開閉する装置や、弁体を駆動させて複数のポートを選択的に連通する切換え弁装置が従来から提案されている（例えば、特許文献１参照）。しかし、複数の流路を選択的に開閉する装置や、弁体を駆動させて流路を選択的に連通する装置は、駆動源やスライド機構等が複雑になり、例えば、空調システムに適用する場合、システムの装置が大型化し、空調システムを適用する場所に制約等が生じているのが実情であった。
【先行技術文献】
【特許文献】
【０００４】
【特許文献１】特開２０１６−１１４１３３号公報
【発明の概要】
【発明が解決しようとする課題】
【０００５】
本発明は上記状況に鑑みてなされたもので、簡素な機構で流体の流路を切り換えることができる流路切換え装置を提供することを目的とする。
【課題を解決するための手段】
【０００６】
上記目的を達成するための請求項１に係る本発明の流路切換え装置は、第１分割壁により一方側と他方側に分割される第１室と、前記第１分割壁の壁面と交差する壁面を有する第２分割壁により一方側と他方側に分割される第２室と、往復移動することで、第１室の一方側と第２室の一方側、第１室の他方側と第２室の他方側の流体の流通を可能にする第１状態、及び、第１室の一方側と第２室の他方側、第１室の他方側と第２室の一方側の流体の流通を可能にする第２状態の間で、流路を交互に切り換える可動壁とを備えたことを特徴とする。
【０００７】
請求項１に係る本発明では、第１室と第２室との間で流体を流通させる際に、可動壁を往復移動させることで、第１室の一方側と第２室の一方側、第１室の他方側と第２室の他方側の流体の流通を可能にする第１状態と、第１室の一方側と第２室の他方側、第１室の他方側と第２室の一方側の流体の流通を可能にする第２状態との間で、流路が交互に切り換えられる。
【０００８】
このため、可動壁を往復移動させるだけの簡素な機構で流体の流路を切り換えることが可能になる。
【０００９】
従って、例えば、除湿を行う熱交換器を複数備え、除湿と水分の放出を交互に行う空調システムにおける、流入用の空調流体や排出用の還気の切換えの装置として適用しても、システムの装置が大型化することがない。流路切換え装置を適用する器機（設備）としては、流体（主に気体）の流路を切り換える機構が備えられる器機（設備）であれば種々の器機（設備）に適用することができる。空調システムの他に、例えば、発電設備におけるガスを精製、合成する設備や、燃料ガスを切り換える器機、化学プラントにおける流体の切換え機器等に適用することができる。
【００１０】
そして、請求項２に係る本発明の流路切換え装置は、請求項１に記載の流路切換え装置において、前記第１室及び前記第２室は仕切壁により仕切られ、前記仕切壁には複数の流通穴が形成されると共に、前記可動壁には前記流通穴よりも数が少ない複数の挿通穴が形成され、前記可動壁が前記仕切壁に沿って往復移動することで、前記流通穴と前記挿通穴の連通箇所が変更され、流路が前記第１状態と前記第２状態との間で切り換えられることを特徴とする。
【００１１】
請求項２に係る本発明では、可動壁を移動させることで、仕切壁の流通穴と可動壁の挿通穴の連通する位置が可動壁の移動端で変更され、流通穴と挿通穴の連通箇所が変更されて流路が切り換えられる。
【００１２】
また、請求項３に係る本発明の流路切換え装置は、請求項２に記載の流路切換え装置において、前記仕切壁には４つの流通穴が備えられ、前記可動壁は前記仕切壁と前記第２分割壁との間に配されると共に、３つの挿通穴が形成され、前記４つの流通穴は、前記第１分割壁で分割された前記第１室の一方側で、前記第２分割壁で分割された前記第２室の一方側に開口する第１一方流通穴と、前記第１分割壁で分割された前記第１室の他方側で、前記第２分割壁で分割された前記第２室の一方側に開口する第２一方流通穴と、前記第１分割壁で分割された前記第１室の一方側で、前記第２分割壁で分割された前記第２室の他方側に開口する第１他方流通穴と、第１分割壁で仕切られた第１室の他方側で、第２分割壁で仕切られた第２室の他方側に開口する第２他方流通穴とから構成され、前記可動壁の前記３つの挿通穴は、前記可動壁が一方側に移動した状態で、３つのうちの２つの挿通穴が、前記第１一方流通穴、及び、前記第２他方流通穴にそれぞれ連通して、前記第１室の一方側と前記第２室の一方側の流体の流通を可能にすると共に、前記第１室の他方側と前記第２室の他方側の流体の流通を可能にする、前記第１状態とされ、前記可動壁が他方側に移動した状態で、前記第１一方流通穴、及び、前記第２他方流通穴に連通しない挿通穴を含む２つの挿通穴が、前記第２一方流通穴、及び、前記第１他方流通穴にそれぞれ連通して、前記第１室の一方側と前記第２室の他方側の流体の流通を可能にする共に、前記第１室の他方側と前記第２室の一方側の流体の流通を可能にする、前記第２状態とされることを特徴とする。
【００１３】
請求項３に係る本発明では、可動壁の往復移動により、３つの挿通穴と４つの流通穴の開口部位の組み合わせが変更されて、第１状態と第２状態が達成される。これにより、３つの挿通穴を備えた可動壁を４つの流通穴を備えた仕切壁に沿って往復移動させる簡素な機構で、流体の流路を切り換えることができる。
【００１４】
例えば、２つのデシカント熱交換器を用い、外気が導入されて熱交換器の一方で除湿流体とされて、例えば、室内に送られ、室内の還気が熱交換器の他方でデシカント材に吸着された水分を脱着するための流体とされる空調システムにおいて、流体の流路を交互に切り換えるための流路切換え装置に適用することができる。
【発明の効果】
【００１５】
本発明の流路切換え装置は、可動壁を往復移動させるだけの簡素な機構で流体の流路を切り換えることが可能になる。
【図面の簡単な説明】
【００１６】
【図１】本発明の一実施例に係る流路切換え装置を備えた空調システムの概念的な構成図である。
【図２】本発明の一実施例に係る流路切換え装置を備えた空調システムの概念的な構成図である。
【図３】本発明の一実施例に係る流路切換え装置を備えた空調システムの全体の外観を説明するための概略斜視図である。
【図４】図３の平面図である。
【図５】図３の側面図である。
【図６】第１流路切り換え手段（図３中左側の流路切り換え手段）の概略構成を説明する外観図である。
【図７】第１流路切り換え手段における第１仕切壁と可動壁の説明を行う説明図である。
【図８】第２流路切り換え手段（図３中右側の流路切り換え手段）の概略構成を説明する外観図である。
【図９】第２流路切り換え手段における第２仕切壁と可動壁の説明を行う説明図である。
【図１０】第１状態における流体の流れを説明する空調システムの概念的な外観図である。
【図１１】第２状態における流体の流れを説明する空調システムの概念的な外観図である。
【発明を実施するための形態】
【００１７】
図１、図２に基づいて本発明の一実施例に係る流路切換え装置を備えた空調システムの概略構成を説明する。
【００１８】
図１には第１状態における空調システムの概念的な構成を示してあり、（ａ）は構成要素と流体流路の状況、（ｂ）は第１熱交換器、第２熱交換器と媒体流路の状況を示してある。図２には第２状態における空調システムの概念的な構成を示してあり、（ａ）は構成要素と流体流路の状況、（ｂ）は第１熱交換器、第２熱交換器と媒体流路の状況を示してある。尚、図１、図２の（ａ）（ｂ）は別の図で説明してあるが、同一の空調システムの構成要素であり、説明の便宜上図面を別にして説明してある。
【００１９】
第１状態は、第１熱交換器で湿分の吸着を行い、第２熱交換器でデシカント材からの水分の脱着を行っている状態で、第２状態は、第２熱交換器で湿分の吸着を行い、第１熱交換器でデシカント材からの水分の脱着を行っている状態である。第１状態と第２状態の切り換えは、本発明の一実施例に係る流路切換え装置である流体経路切り換え手段により流体の経路が切り換えられることにより交互に繰り返される。
【００２０】
図１（ａ）、図２（ａ）に示すように、本実施例のデシカント熱交換器を用いた空調システムは、伝熱管の外側にデシカント材が塗布された第１熱交換器１、及び、第２熱交換器２が並列に備えられている。デシカント材は、所定の温度域で流体の湿分が吸着され、加熱されることで吸着された湿分が脱着される。第１熱交換器１、及び、第２熱交換器２への流体の切り換えは、第１流体経路切り換え手段２１（流体経路切り換え手段：具体的な構成は後述する）により切り換えられ、第１熱交換器１、及び、第２熱交換器２からの流体の排出の切り換えは、第２流体経路切り換え手段２２（流体経路切り換え手段：具体的な構成は後述する）により切り換えられる。
【００２１】
第１流体経路切り換え手段２１により、第１熱交換器１、第２熱交換器２の伝熱管の外側への流体の流入を切り換えることで、第１熱交換器１、第２熱交換器２のいずれか一方で、伝熱管の外側を流通する流体の水分をデシカント材に吸着させて除湿流体とすると共に、第１熱交換器１、第２熱交換器２のいずれか他方で、伝熱管の外側を流通する流体によりデシカント材に吸着された水分を脱着させて排出流体とする。
【００２２】
図１（ｂ）、図２（ｂ）に示すように、第１熱交換器１、及び、第２熱交換器２の伝熱管に冷却媒体源７から冷却媒体を循環させる冷却媒体供給手段３、及び、加熱媒体源８から加熱媒体を循環させる加熱媒体供給手段４が備えられ、冷却媒体供給手段３からの冷却媒体の循環供給、加熱媒体供給手段４からの加熱媒体の循環供給は、媒体切り換え手段５（具体的な構成は後述する）の動作により実施される。冷却媒体と加熱媒体の循環供給が切り換えられることで、伝熱管の外側を流通する流体の水分のデシカント材への吸着、及び、デシカント材からの水分の脱着が切り換えられる。
【００２３】
図１（ｂ）、図２（ｂ）に基づいて媒体切り換え手段５を具体的に説明する。図１（ｂ）は冷却媒体が第１熱交換器１に循環され、加熱媒体が第２熱交換器２に循環されている状態（実線で示してある）で、図２（ｂ）は冷却媒体が第２熱交換器２に循環され、加熱媒体が第１熱交換器１に循環されている状態（実線で示してある）である。
【００２４】
媒体切り換え手段５は、第１熱交換器１に対して冷却媒体の流通を行う冷却媒体流通経路１１ａと、第２熱交換器２に対して冷却媒体の流通を行う冷却媒体流通経路１１ｂを備えている。また、第２熱交換器２に対して加熱媒体の流通を行う加熱媒体流通経路１２ａと、第１熱交換器１に対して加熱媒体の流通を行う加熱媒体流通経路１２ｂを備えている。
【００２５】
冷却媒体流通経路１１ａには流通制御弁１３ａが設けられ、冷却媒体流通経路１１ｂには流通制御弁１３ｂが設けられている（冷却媒体切り換え手段）。また、加熱媒体流通経路１２ａには流通制御弁１４ａが設けられ、加熱媒体流通経路１２ｂには流通制御弁１４ｂが設けられている（加熱媒体切り換え手段）。具体的には、冷却媒体流通経路１１ａ、１１ｂ、加熱媒体流通経路１２ａ、１２ｂは供給路と戻り路の一対の流路で構成され、流通制御弁１３ａ、流通制御弁１３ｂ、流通制御弁１４ａ、流通制御弁１４ｂの制御により、供給側と戻り側の流路の開閉がそれぞれ制御される。
【００２６】
そして、冷却媒体源７と冷却媒体流通経路１１ａ、１１ｂとが冷却媒体流路９で接続され、冷却媒体流通経路１１ａ、１１ｂの分岐部には切り換え弁１５が設けられ、切り換え弁１５により、冷却媒体源７からの冷却媒体の流通が冷却媒体流通経路１１ａ、１１ｂのいずれか一方に切り換えられる（冷却媒体切り換え手段）。また、加熱媒体源８と加熱媒体流通経路１２ａ、１２ｂとが加熱媒体流路１０で接続され、加熱媒体流通経路１２ａ、１２ｂの分岐部には切り換え弁１６が設けられ、切り換え弁１６により、加熱媒体源８からの加熱媒体の流通が加熱媒体流通経路１２ａ、１２ｂのいずれか一方に切り換えられる（加熱媒体切り換え手段）。
【００２７】
流通制御弁１３ａ、１３ｂ、及び、流通制御弁１４ａ、１４ｂと、切り換え弁１５、１６の動作は、制御手段１８により制御される。制御手段１８には、例えば、除湿を行うための流体の湿度の情報（及び/もしくは、除湿が行われた後の流体の湿度の情報）、第１熱交換器１（第２熱交換器２）での湿分の吸着運転の運転時間の情報が入力され、入力された情報に基づいて、第１熱交換器１、第２熱交換器２での湿分の吸着の運転と、デシカント吸着剤で吸着した水分の放出の運転（第１熱交換器１、第２熱交換器２の再生の運転）とが切り換えられる。
【００２８】
このため、制御手段１８の指令により、第１流体経路切り換え手段２１による流体の流入、第２流体経路切り換え手段２２による流体の排出の切り換え動作が制御される。そして、制御手段１８の指令により、冷却媒体切り換え手段、及び、加熱媒体切り換え手段である、流通制御弁１３ａ、１３ｂ、及び、流通制御弁１４ａ、１４ｂと、切り換え弁１５、１６の動作が制御され、第１熱交換器１、第２熱交換器２に対する冷却媒体、加熱媒体の流通を切り換えることができる。従って、第１熱交換器１、第２熱交換器２に対し冷却媒体、加熱媒体体を交互に流通させ、流体を適宜切り換えて第１熱交換器１、第２熱交換器２に流通させることが可能になる。
【００２９】
つまり、図１（ａ）、図２（ａ）に示すように、第１流体経路切り換え手段２１により、第１熱交換器１、及び、第２熱交換器２への流体の切り換えを交互に実施することができると共に、図１（ｂ）、図２（ｂ）に示すように、媒体切り換え手段５で冷却媒体と加熱媒体の循環供給を切り換えて流体の水分が吸着される熱交換器と水分が脱着される熱交換器が切り換えを交互に実施することができる。
【００３０】
これにより、第１熱交換器１、第２熱交換器２のいずれか一方で（冷却媒体が流通する伝熱管を有する熱交換器で）、伝熱管の外側を流通する流体の水分がデシカント材に吸着されて除湿流体（冷却流体）とされると共に、第１熱交換器１、第２熱交換器２のいずれか他方で（加熱媒体が流通する伝熱管を有する熱交換器で）、伝熱管の外側を流通する流体によりデシカント材に吸着された水分が脱着されて（デシカント材が再生されて）排出流体とされる。
【００３１】
冷却媒体、加熱媒体として、工場や発電所等の事業所の余剰の冷却水、熱エネルギー等を適用することができるので、専用の冷却エネルギー、加熱エネルギーを用いずに熱動力を得ることができ、動力エネルギーを最小限に抑えた空調システムの構築が容易になる。従って、簡素な器機構成で動力エネルギーを最小限に抑えて流体の除湿（冷却）とデシカント材の再生とを行うことが可能になる。
【００３２】
冷却媒体供給手段３の冷却媒体（冷却媒体）は、専用の冷却手段を備えた冷却媒体源から供給することができる。また、発電設備や各種プラントの冷却塔の冷却水や、ヒートポンプを用いた設備を適用することができる。加熱媒体供給手段４の加熱媒体（加熱媒体）は、専用の加熱手段を備えた加熱媒体源から供給することができる。また、発電設備や各種プラントの排熱、太陽光発電設備の一部の熱エネルギー、地熱発電等の一部の熱エネルギーを用いることができる。各種設備の空調システムとして適用することで、冷却媒体、加熱媒体を得るためのエネルギーを必要としないシステムとすることができる。
【００３３】
図１（ａ）、図２（ａ）に示すように、第１熱交換器１、第２熱交換器２を挟んで第１流体経路切り換え手段２１の反対側には一実施例に係る流路切換え装置である第２流体経路切り換え手段２２が配され、第１流体経路切り換え手段２１と第２流体経路切り換え手段２２の間には、第１熱交換器１もしくは第２熱交換器２からの除湿流体を冷却する冷却手段としての顕熱交換器２３（第３熱交換器）が配されている。顕熱交換器２３と第２流体経路切り換え手段２２の間には、顕熱交換器２３で冷却された除湿流体を更に冷却する冷却手段としての噴霧冷却器２４が配されている。
【００３４】
冷却手段により、第１熱交換器１もしくは第２熱交換器２からの除湿流体ＤＡを冷却して、除湿流体ＤＡを確実に冷却して冷房（除湿）の送風ＳＡとすることができる。顕熱交換器２３では、第１熱交換器１もしくは第２熱交換器２からの除湿流体ＤＡと、第２熱交換器２もしくは第１熱交換器１のデシカント材の水分を脱着させるための流体（例えば、室内空気ＲＡ）とが熱交換される。これにより、室内空気ＲＡにより除湿流体ＤＡが冷却されて室内空気ＲＡの冷熱を有効に回収することができる。
【００３５】
図１（ａ）、図１（ｂ）に示すように、第１状態（運転モード１）では、媒体切り換え手段５の動作により、第１熱交換器１に冷却媒体が送られて水分の吸着が行われる状態にされ、第２熱交換器２に加熱媒体が送られてデシカント材に吸着された水分の脱着が行われる状態にされる。
【００３６】
第１流体経路切り換え手段２１は、外気ＯＡが第１熱交換器１に送られると共に、顕熱交換器２３からの流体ＨＡが第２熱交換器２に送られる状態に切り換えられている（後述する第１状態）。第２流体経路切り換え手段２２は、顕熱交換器２３からの冷却された冷却流体ＣＡが冷房（除湿）の送風ＳＡとして室内に送られると共に、室内からの還気ＲＡが顕熱交換器２３に送られる状態に切り換えられている（後述する第１状態）。
【００３７】
運転モード１では、図中実線で示すように、外気ＯＡが第１熱交換器１の吸着過程により除湿されて除湿流体ＤＡとされ、顕熱交換器２３で還気ＲＡと熱交換されて（冷却されて）冷却流体ＣＡとされる。更に、冷却流体ＣＡは噴霧冷却器２４で冷却され、室内に送られる冷房（除湿）の送風ＳＡとされる。
【００３８】
図中一点鎖線で示すように、室内からの還気ＲＡは、顕熱交換器２３で除湿流体ＤＡと熱交換されて流体ＨＡが第２熱交換器２に送られる。第２熱交換器２では、脱着過程により温度、湿度が増加し、デシカント材から水分が放出され、水分を伴った流体が排気ＥＡとされる。
【００３９】
運転モード１の運転が所定の時間（所定の湿度まで）継続すると、第１熱交換器１の水分の吸着能力が飽和し、外気ＯＡの水分の吸着が行われなくなる。同時に、第２熱交換器２では、吸着された水分がすべて放出されて再生され、水分の吸着が可能な状態となる。この状態で、第１熱交換器１で水分の放出を行うと共に、第２熱交換器２で水分の吸着を行う運転モード２に切り換えられる。即ち、第１流体経路切り換え手段２１、第２流体経路切り換え手段２２が後述する第２状態に切り換えられる。
【００４０】
図２（ａ）、図２（ｂ）に示すように、第２状態（運転モード２）では、第２熱交換器２に冷却媒体が送られて水分の吸着が行われる状態にされ、第１熱交換器１に加熱媒体が送られてデシカント材に吸着された水分の脱着が行われる状態にされる。
【００４１】
第１流体経路切り換え手段２１は、外気ＯＡが第２熱交換器２に送られると共に、顕熱交換器２３からの流体ＨＡが第１熱交換器１に送られる状態に切り換えられている（後述する第２状態）。第２流体経路切り換え手段２２は、顕熱交換器２３からの冷却された冷却流体ＣＡが冷房（除湿）の送風ＳＡとして室内に送られると共に、室内からの還気ＲＡが顕熱交換器２３に送られる状態（第１熱交換器１に送られる状態）に切り換えられている（後述する第２状態）。
【００４２】
運転モード２では、図中実線で示すように、外気ＯＡが第２熱交換器２の吸着過程により除湿されて除湿流体ＤＡとされ、顕熱交換器２３で還気ＲＡと熱交換されて（冷却されて）冷却流体ＣＡとされる。更に、冷却流体ＣＡは噴霧冷却器２４で冷却され、室内に送られる冷房（除湿）の送風ＳＡとされる。
【００４３】
図中一点鎖線で示すように、室内からの還気ＲＡは、顕熱交換器２３で除湿流体ＤＡと熱交換されて流体ＨＡが第１熱交換器１に送られる。第１熱交換器１では、脱着過程により温度、湿度が増加し、デシカント材から水分が放出され、水分を伴った流体が排気ＥＡとされる。
【００４４】
運転モード２の運転が所定の時間（所定の湿度まで）継続すると、第２熱交換器２の水分の吸着能力が飽和し、外気ＯＡの水分の吸着が行われなくなる。同時に、第１熱交換器１では、吸着された水分がすべて放出されて再生され、水分の吸着が可能な状態となる。この状態で、第２熱交換器２で水分の放出を行うと共に、第１熱交換器１で水分の吸着を行う運転モード１に切り換えられる。即ち、第１流体経路切り換え手段２１、第２流体経路切り換え手段２２が、再び、後述する第１状態に切り換えられる。
【００４５】
運転モード１から運転モード２への切り換え、運転モード２から運転モード１への切り換えは、運転時間が所定時間経過した場合に制御手段１８の指令により実施される。また、時間の経過とあわせて（もしくは、時間の経過とは別に）、第２熱交換器２、もしくは、第１熱交換器１の湿度が所定の湿度を超えた場合に、制御手段１８の指令により実施される。このため、制御手段１８には、運転時間の情報、及び（もしくは）、外気ＯＡ及び送風ＳＡの湿度の情報が入力される。
【００４６】
上述した一実施例に係る流体流路切換え装置を備えた空調システムでは、第１流体経路切り換え手段２１、第２流体経路切り換え手段２２により流路を切り換えて運転モード１、運転モード２を切り換えることで、第１熱交換器１、第２熱交換器２のいずれか一方で、外気ＯＡが除湿流体ＤＡとされると共に、第１熱交換器１、第２熱交換器２のいずれか他方で、流体ＨＡによりデシカント材に吸着された水分が脱着されて（デシカント材が再生されて）排気ＥＡとされる。
【００４７】
このため、第１流体経路切り換え手段２１、第２流体経路切り換え手段２２の切り換え動作を行うことで、簡素な器機構成で動力エネルギーを最小限に抑えて流体の除湿（冷却）とデシカント材の再生とを行うことが可能になる。
【００４８】
そして、顕熱交換器２３により、第１熱交換器１もしくは第２熱交換器２からの除湿流体ＤＡを室内からの還気ＲＡにより冷却し、室内空気の冷熱を有効に回収することができる。更に、噴霧冷却器２４で除湿流体ＤＡを冷却することができるので、除湿流体ＤＡを確実に冷却して冷房流体とすることができる。
【００４９】
上述した一実施例の流体流路切換え装置を備えた空調システムは、第１流体経路切り換え手段２１、第２流体経路切り換え手段２２、第１熱交換器１、第２熱交換器２、顕熱交換器２３、噴霧冷却器２４は、一つのケーシングに収容されている。このため、器機をひとまとめにしてコンパクトな構成とすることができる。
【００５０】
図３から図５に基づいて本発明の一実施例に係る流体流路切換え装置を備えた空調システムの具体的な構造を説明する。
【００５１】
図３には本発明の一実施例に係る流体流路切換え装置を備えた空調システムの全体の具体的な外観を説明するための概略斜視の状況、図４には図３の構成の平面視の状況、図５には図３の構成の側面視の状況を示してある。
【００５２】
図に示すように、外気ＯＡの流れに沿って、ケーシングが５つの区間Ｓ１（第１室）、Ｓ２（第２室）、Ｓ３、Ｓ４（第２室）、Ｓ５（第１室）に分けられている。区間Ｓ１、Ｓ２に本発明の一実施例に係る流体流路切換え装置である第１流体経路切り換え手段２１が構築され、区間Ｓ４、Ｓ５に本発明の一実施例に係る流体流路切換え装置である第２流体経路切り換え手段２２が構築されている。そして、第１熱交換器１、第２熱交換器２を挟んで区間Ｓ２の反対側の顕熱交換器２３との間に区間Ｓ３が構築され、顕熱交換器２３を挟んで区間Ｓ３の反対側に第２流体経路切り換え手段２２を構築する区間Ｓ４が配されている。
【００５３】
区間Ｓ２（第２室）は、直接、第１熱交換器１、第２熱交換器２に対向し、区間Ｓ４（第２室）は、顕熱交換器２３を挟んで、第１熱交換器１、第２熱交換器２に対向している。
【００５４】
第１流体経路切り換え手段２１が構築される区間Ｓ１、Ｓ２は、第１仕切壁３１（仕切壁）で仕切られている。区間Ｓ１には、区間Ｓ１を縦方向に第１一方側３２（一方側）と第１他方側３３（他方側）に分割する第１側第１分割壁３４（第１分割壁）が設けられている。つまり、区間Ｓ１は、一方側と他方側に仕切られた第１室となっている。
【００５５】
区間Ｓ２には、区間Ｓ２を水平方向に第１上側３５（一方側）と第１下側３６（他方側）に分割する第１側第２分割壁３７（第２分割壁）が設けられている。第１側第２分割壁３７の壁面は、第１側第１分割壁３４の壁面に直交して（交差して）配されている。そして、第１上側３５が第１熱交換器１に対向し、第１下側３６が第２熱交換器２に対向している。
【００５６】
区間Ｓ３には、第１側第２分割壁３７と水平方向の延長線上で連続する上下分割壁４１が配され、上下分割壁４１により区間Ｓ３が上部４２と下部４３に分割されている。区間Ｓ３、Ｓ４は、上仕切壁４４、下仕切壁４５により分割されている。
【００５７】
第２流体経路切り換え手段２２が構築される区間Ｓ４、Ｓ５は、第２仕切壁５１（仕切壁）で仕切られている。区間Ｓ５には、区間Ｓ５を縦方向に第２一方側５２（一方側）と第２他方側５３（他方側）に分割する第２側第１分割壁５４（第１分割壁）が設けられている。つまり、区間Ｓ５は、一方側と他方側に仕切られた第１室となっている。
【００５８】
区間Ｓ４には、区間Ｓ４を水平方向に第２上側５５（他方側）と第２下側５６（一方側）に分割する第２側第２分割壁５７が設けられている。第２側第２分割壁５７の壁面は、第２側第１分割壁５４の壁面に直交して（交差して）配されている。そして、第２側第２分割壁５７は上下分割壁４１と水平方向の延長線上で連続して配されている。
【００５９】
図６、図７に基づいて第１流体経路切り換え手段２１を具体的に説明する。
【００６０】
図６には第１流体経路切り換え手段２１を第１熱交換器１、第２熱交換器２の側（内側）から見た状態の外観、図７（ａ）には内側から見た状態の第１仕切壁３１、第１可動壁３９の正面視、図７（ｂ）には内側から見た状態の第１可動壁３９が他方側（左側）に移動した状態（第２状態）の正面視、図７（ｃ）には第１熱交換器１、第２熱交換器２の側から見た状態の第１可動壁３９が一方側（右側）に移動した状態（第１状態）の正面視を示してある。
【００６１】
第１流体経路切り換え手段２１には、第１仕切壁３１の面に沿って移動する第１可動壁３９（可動壁）が配され、第１可動壁３９は、第１仕切壁３１と第１側第２分割壁３７との間に配されている。第１可動壁３９は第１仕切壁３１に沿って往復移動することで、区間Ｓ１と区間Ｓ２との間の流体の流通を切り換えるようになっている。
【００６２】
つまり、第１可動壁３９の一方側への移動（図６中矢印方向：図７（ｃ）参照）により、区間Ｓ１（第１室）の第１一方側３２（一方側）と区間Ｓ２（第２室）の第１上側３５（一方側）、区間Ｓ１（第１室）の第１他方側３３（他方側）と区間Ｓ２（第２室）の第１下側３６（他方側）の流体の流通を可能にする状態（第１状態）にすることができる。
【００６３】
また、第１可動壁３９の他方側への移動（図６中反矢印方向：図７（ｂ）参照）により、区間Ｓ１（第１室）の第１一方側３２（一方側）と区間Ｓ２（第２室）の第１下側３６（他方側）、区間Ｓ１（第１室）の第１他方側３３（他方側）と区間Ｓ２（第２室）の第１上側３５（一方側）の流体の流通を可能にする状態（第２状態）にすることができる。
【００６４】
即ち、第１可動壁３９の往復移動により、第１状態と第２状態の流通が交互に切り換えられるようになっている。第１流体経路切り換え手段２１では、第１可動壁３９の往復移動で、第１状態と第２状態が切り換えられることで、区間Ｓ１（第１室）の第１一方側３２もしくは第１他方側３３に（一方側もしくは他方側のいずれかに）、除湿させる流体である外気ＯＡが供給されると共に、区間Ｓ１（第１室）の第１他方側３３もしくは第１一方側３２に（他方側もしくは一方側のいずれかに）、水分が脱着された排出流体である排気ＥＡが送られる。
【００６５】
第１仕切壁３１、及び、第１可動壁３９の状況を具体的に説明する。
【００６６】
図７（ａ）の左側に示すように、第１仕切壁３１には、４つの流通穴が形成されている。第１仕切壁３１には、幅方向に４分割された領域の内側の２つの領域のそれぞれに、上下に２つの流通穴が形成されている。即ち、流通穴は、図中右上の第１側第１一方流通穴６１、図中左上の第１側第２一方流通穴６２、図中右下の第１側第１他方流通穴６３、図中左下の第１側第２他方流通穴６４とされている。
【００６７】
第１側第１一方流通穴６１は、区間Ｓ１（第１室）の第１一方側３２（一方側）で、区間Ｓ２（第２室）の第１上側３５（一方側）に開口し、区間Ｓ１の第１一方側３２と区間Ｓ２の第１上側３５を連通する状態となっている。第１側第２一方流通穴６２は、区間Ｓ１（第１室）の第１他方側３３（他方側）で、区間Ｓ２（第２室）の第１上側３５（一方側）に開口し、区間Ｓ１の第１他方側３３と区間Ｓ２の第１上側３５を連通する状態となっている。
【００６８】
第１側第１他方流通穴６３は、区間Ｓ１（第１室）の第１一方側３２（一方側）で、区間Ｓ２（第２室）の第１下側３６（他方側）に開口し、区間Ｓ１の第１一方側３２と区間Ｓ２の第１下側３６を連通する状態となっている。第１側第２他方流通穴６４は、区間Ｓ１（第１室）の第１他方側３３（他方側）で、区間Ｓ２（第２室）の第１下側３６（他方側）に開口し、区間Ｓ１の第１他方側３３と区間Ｓ２の第１下側３６を連通する状態となっている。
【００６９】
図７（ａ）の右側に示すように、第１可動壁３９には３つの挿通穴が形成されている。第１可動壁３９は、第１仕切壁３１の幅の４分の３の幅とされ、幅方向に３分割された領域に、それぞれ、第１側第１挿通穴６６、第１側第２挿通穴６７、第１側第３挿通穴６８が形成されている。即ち、挿通穴は、図中右下の第１側第１挿通穴６６、図中中央上側の第１側第２挿通穴６７、図中左下の第１側第３挿通穴６８とされている。
【００７０】
図６、図７（ｃ）に示すように、第１可動壁３９が一方側（図中右側）に移動した状態で、３つのうちの２つの第１側第２挿通穴６７、第１側第３挿通穴６８が、第１側第１一方流通穴６１、及び、第１側第２他方流通穴６４にそれぞれ連通し、第１側第２一方流通穴６２、第１側第１他方流通穴６３、第１側第１挿通穴６６が塞がれた状態にされる。これにより、区間Ｓ１の第１一方側３２と区間Ｓ２の第１上側３５が連通して流体の流通が可能になると共に、区間Ｓ１の第１他方側３３と区間Ｓ２の第１下側３６が連通して流体の流通が可能になる状態（第１状態）にされる。
【００７１】
つまり、第１室の一方側と第２室の一方側の流体の流通が可能になると共に、第１室の他方側と第２室の他方側の流体の流通が可能になる状態（第１状態）にされる。
【００７２】
図７（ｂ）に示すように、第１可動壁３９が他方側（図中左側）に移動した状態で、第１側第１挿通穴６６、第１側第２挿通穴６７が、第１側第１他方流通穴６３、及び、第１側第２一方流通穴６２にそれぞれ連通し、第１側第１一方流通穴６１、第１側第２他方流通穴６４、第１側第３挿通穴６８が塞がれた状態にされる。即ち、第１状態で流通穴に連通しない挿通穴である第１側第１挿通穴６６を含む２つの挿通穴（第１側第１挿通穴６６、第１側第２挿通穴６７）が、第１側第１他方流通穴６３、及び、第１側第２一方流通穴６２に連通する。これにより、区間Ｓ１の第１一方側３２と区間Ｓ２の第１下側３６が連通して流体の流通が可能になると共に、区間Ｓ１の第１他方側３３と区間Ｓ２の第１上側３５が連通して流体の流通が可能になる状態（第２状態）にされる。
【００７３】
つまり、第１室の一方側と第２室の他方側の流体の流通が可能になると共に、第１室の他方側と第２室の一方側の流体の流通が可能になる状態（第２状態）にされる。
【００７４】
図８、図９に基づいて第２流体経路切り換え手段２２を具体的に説明する。
【００７５】
図８には第２流体経路切り換え手段２２を外側（例えば、図３中右の室内側）から見た状態の外観、図９（ａ）には第２仕切壁５１、第２可動壁５９を顕熱交換器２３の側（内側：図８の反対側）から見た状態の正面視、図９（ｂ）には顕熱交換器２３の側（内側）から見た状態の第２可動壁５９が他方側（右側）に移動した状態（第２状態）の正面視、図９（ｃ）には顕熱交換器２３の側から見た状態の第２可動壁５９が一方側（左側）に移動した状態（第１状態）の正面視を示してある。
【００７６】
第２流体経路切り換え手段２２には、第２仕切壁５１の面に沿って移動する第２可動壁５９（可動壁）が配され、第２可動壁５９は、第２仕切壁５１と第２側第２分割壁５７との間に配されている。第２可動壁５９は第２仕切壁５１に沿って往復移動することで、区間Ｓ５と区間Ｓ４との間の流体の流通を切り換えるようになっている。
【００７７】
つまり、第２可動壁５９の他方側への移動（図８中矢印方向：図９（ｃ）参照）により、区間Ｓ５（第１室）の第２一方側５２（一方側）と区間Ｓ４（第２室）の第２下側５６（一方側）、区間Ｓ５（第１室）の第２他方側５３（他方側）と区間Ｓ４（第２室）の第２上側５５（他方側）の流体の流通を可能にする状態（第１状態）にすることができる。
【００７８】
また、第２可動壁５９の一方側への移動（図８中反矢印方向：図９（ｂ）参照）により、区間Ｓ５（第１室）の第２一方側５２（一方側）と区間Ｓ４（第２室）の第２上側５５（他方側）、区間Ｓ５（第１室）の第２他方側５３（他方側）と区間Ｓ４（第２室）の第２下側５６（一方側）の流体の流通を可能にする状態（第２状態）にすることができる。
【００７９】
即ち、第２可動壁５９の往復移動により、第１状態と第２状態の流通が交互に切り換えられるようになっている。第２流体経路切り換え手段２２では、第２可動壁５９の往復移動で、第１状態と第２状態が切り換えられることで、区間Ｓ５（第１室）の第２一方側５２もしくは第２他方側５３のいずれかに（一方側もしくは他方側のいずれかに）、水分を脱着させるための流体である還気ＲＡが供給されると共に、区間Ｓ５（第１室）の第２他方側５３もしくは第２一方側５２のいずれかに（他方側もしくは一方側のいずれかに）、除湿された流体である送風ＳＡが送られる。
【００８０】
第２仕切壁５１、及び、第２可動壁５９の状況を具体的に説明する。
【００８１】
図９（ａ）の左側に示すように、第２仕切壁５１には、４つの流通穴が形成されている。第２仕切壁５１には、幅方向に４分割された領域の内側の２つの領域のそれぞれに、上下に２つの流通穴が形成されている。即ち、流通穴は、図中右下の第２側第１一方流通穴７１、図中左下の第２側第２一方流通穴７２、図中右上の第２側第１他方流通穴７３、図中左上の第２側第２他方流通穴７４とされている。
【００８２】
第２側第１一方流通穴７１は、区間Ｓ５（第１室）の第２一方側５２（一方側）で、区間Ｓ４（第２室）の第２下側５６（一方側）に開口し、区間Ｓ５の第２一方側５２と区間Ｓ４の第２下側５６を連通する状態となっている。第２側第２一方流通穴７２は、区間Ｓ５（第１室）の第２他方側５３（他方側）で、区間Ｓ４（第２室）の第２下側５６（一方側）に開口し、区間Ｓ５の第２他方側５３と区間Ｓ４の第２下側５６を連通する状態となっている。
【００８３】
第２側第１他方流通穴７３は、区間Ｓ５（第１室）の第２一方側５２（一方側）で、区間Ｓ４（第２室）の第２上側５５（他方側）に開口し、区間Ｓ５の第２一方側５２と区間Ｓ４の第２上側５５を連通する状態となっている。第２側第２他方流通穴７４は、区間Ｓ５（第１室）の第２他方側５３（他方側）で、区間Ｓ４（第２室）の第２上側５５（他方側）に開口し、区間Ｓ５の第２他方側５３と区間Ｓ４の第２上側５５を連通する状態となっている。
【００８４】
図９（ａ）の右側に示すように、第２可動壁５９には３つの挿通穴が形成されている。第２可動壁５９は、第２仕切壁５１の幅の４分の３の幅とされ、幅方向に３分割された領域に、それぞれ、第２側第１挿通穴７６、第２側第２挿通穴７７、第２側第３挿通穴７８が形成されている。即ち、挿通穴は、図中右下の第２側第１挿通穴７６、図中中央上側の第２側第２挿通穴７７、図中左下の第２側第３挿通穴７８とされている。
【００８５】
図８、図９（ｃ）に示すように、第２可動壁５９が一方側（図８中右側、図９（ｃ）左側）に移動した状態で、３つのうちの２つの第２側第１挿通穴７６、第２側第２挿通穴７７が、第２側第１一方流通穴７１、及び、第２側第２他方流通穴７４にそれぞれ連通し、第２側第２一方流通穴７２、第２側第１他方流通穴７３、第２側第３挿通穴７８が塞がれた状態にされる。これにより、区間Ｓ５の第２一方側５２と区間Ｓ４の第２下側５６が連通して流体の流通が可能になると共に、区間Ｓ５の第２他方側５３と区間Ｓ４の第２上側５５が連通して流体の流通が可能になる状態（第１状態）にされる。
【００８６】
つまり、第１室の一方側と第２室の一方側の流体の流通が可能になると共に、第１室の他方側と第２室の他方側の流体の流通が可能になる状態（第１状態）にされる。
【００８７】
図９（ｂ）に示すように、第２可動壁５９が他方側（図中右側）に移動した状態で、第２側第２挿通穴７７、第２側第３挿通穴７８が、第２側第１他方流通穴７３、及び、第２側第２一方流通穴７２にそれぞれ連通し、第２側第２他方流通穴７４、第２側第１一方流通穴７１、第２側第１挿通穴７６が塞がれた状態にされる。即ち、第１状態で流通穴に連通しない挿通穴である第２側第３挿通穴７８を含む２つの挿通穴（第２側第２挿通穴７７、第２側第３挿通穴７８）が、第２側第１他方流通穴７３、及び、第２側第２一方流通穴７２に連通する。これにより、区間Ｓ５の第２一方側５２と区間Ｓ４の第２上側５５が連通して流体の流通が可能になると共に、区間Ｓ５の第２他方側５３と区間Ｓ４の第２下側５６が連通して流体の流通が可能になる状態（第２状態）にされる。
【００８８】
つまり、第１室の一方側と第２室の他方側の流体の流通が可能になると共に、第１室の他方側と第２室の一方側の流体の流通が可能になる状態（第２状態）にされる。
【００８９】
上述した流体経路切り換え手段では、第１流体経路切り換え手段２１で、第１可動壁３９の往復移動で第１状態と第２状態が切り換えられ、第１室（区間Ｓ１）の一方側もしくは他方側のいずれかに、除湿させる流体が供給されると共に、第１室（区間Ｓ１）の他方側もしくは一方側のいずれかに、水分が脱着された排出流体が送られる。
【００９０】
そして、第２流体経路切り換え手段２２で、第２可動壁５９の往復移動で第１状態と第２状態が切り換えられることで、第１室（区間Ｓ５）の一方側もしくは他方側のいずれかに、水分を脱着させるための流体が供給されると共に、第１室（区間Ｓ５）の他方側もしくは一方側のいずれかに、除湿された流体が送られる。
【００９１】
具体的には、可動壁（第１可動壁３９、第２可動壁５９）の往復移動により、３つの挿通穴と４つの流通穴の開口部位の組み合わせが変更され、第１流体経路切り換え手段２１、第２流体経路切り換え手段２２により、第１状態と第２状態が達成される。これにより、例えば、外気が導入されて第１熱交換器１、第２熱交換器２のいずれかで除湿流体とされて、例えば、室内に送られ、室内の環気が第２熱交換器２、第１熱交換器１のいずれかでデシカント材に吸着された水分を脱着するための流体とされて、第２熱交換器２、第１熱交換器１のいずれかに送られ、水分を脱着させた後、例えば、室外に排出される（排出流体）。
【００９２】
図１０、図１１に基づいて具体的な流体の流れを説明する。
【００９３】
図１０には第１状態（運転モード１）における流体の流れ（図１の状態）を説明するデシカント熱交換器を用いた空調システムの概念的な外観、図１１には第２状態（運転モード２）における流体の流れ（図２の状態）を説明するデシカント熱交換器を用いた空調システムの概念的な外観を示してある。
【００９４】
デシカント熱交換器を用いた空調システムでは、第１状態（運転モード１）、第２状態（運転モード２）のいずれの場合も、外気ＯＡは第１一方側３２に供給され、湿分が吸着された（冷却された）送風ＳＡは第２一方側５２から室内に送られる。湿分を脱着するための還気ＲＡは第２他方側５３に供給され、湿分を含む排気ＥＡは第１他方側３３から排出される。
【００９５】
図１０に示す運転モード１では、第１熱交換器１に冷却媒体が送られて水分の吸着が行われる状態にされ、第２熱交換器２に加熱媒体が送られてデシカント材に吸着された水分の脱着が行われる状態にされている。
【００９６】
第１流体経路切り換え手段２１は、第１側第１一方流通穴６１と第１側第２挿通穴６７が連通すると共に、第１側第２他方流通穴６４と第１側第３挿通穴６８が連通する状態に、第１可動壁３９が移動している。第２流体経路切り換え手段２２は、第２側第２他方流通穴７４と第２側第２挿通穴７７が連通すると共に、第２側第１一方流通穴７１と第２側第１挿通穴７６が連通する状態に、第２可動壁５９が移動している。
【００９７】
これにより、第１流体経路切り換え手段２１では、第１一方側３２と第１上側３５との間で流体の流通が可能に状態になると共に、第１他方側３３と第１下側３６との間で流体の流通が可能な状態になる。また、第２流体経路切り換え手段２２では、第２他方側５３と第２上側５５との間で流体の流通が可能な状態になると共に、第２一方側５２と第２下側５６との間で流体の流通が可能な状態になる。
【００９８】
この状態で、外気ＯＡが、第１一方側３２、第１上側３５を通過して第１熱交換器１に送られて除湿流体とされ、除湿流体は、顕熱交換器２３で冷却されて第２下側５６、第２一方側５２を通過して湿分が吸着された（冷却された）送風ＳＡとして室内に送られる。そして、還気ＲＡが、第２他方側５３、第２上側５５を通過して顕熱交換器２３で冷却媒体とされ、顕熱交換器２３を通過した（昇温された）流体は第２熱交換器２に送られ、デシカント材に吸着された湿分が脱着され、第１下側３６、第１他方側３３を通過して排気ＥＡとされて排出される。
【００９９】
図１１に示す運転モード２では、第２熱交換器２に冷却媒体が送られて水分の吸着が行われる状態にされ、第１熱交換器１に加熱媒体が送られてデシカント材に吸着された水分の脱着が行われる状態にされている。
【０１００】
第１流体経路切り換え手段２１は、第１側第１他方流通穴６３と第１側第１挿通穴６６が連通すると共に、第１側第２一方流通穴６２と第１側第２挿通穴６７が連通する状態に、第１可動壁３９が移動している。第２流体経路切り換え手段２２は、第２側第２一方流通穴７２と第２側第３挿通穴７８が連通すると共に、第２側第１他方流通穴７３と第２側第２挿通穴７７が連通する状態に、第２可動壁５９が移動している。
【０１０１】
これにより、第１流体経路切り換え手段２１では、第１一方側３２と第１下側３６との間で流体の流通が可能に状態になると共に、第１他方側３３と第１上側３５との間で流体の流通が可能な状態になる。また、第２流体経路切り換え手段２２では、第２他方側５３と第２下側５６との間で流体の流通が可能な状態になると共に、第２一方側５２と第２上側５５との間で流体の流通が可能な状態になる。
【０１０２】
この状態で、外気ＯＡが、第１一方側３２、第１下側３６を通過して第２熱交換器２に送られて除湿流体とされ、除湿流体は、顕熱交換器２３で冷却されて第２上側５５、第２一方側５２を通過して湿分が吸着された（冷却された）送風ＳＡとして室内に送られる。そして、還気ＲＡが、第２他方側５３、第２下側５６を通過して顕熱交換器２３で冷却媒体とされ、顕熱交換器２３を通過した（昇温された）流体は第１熱交換器１に送られ、デシカント材に吸着された湿分が脱着され、第１上側３５、第１他方側３３を通過して排気ＥＡとされて排出される。
【０１０３】
上述したように、一実施例に係る流路切換え装置を備えた空調システムでは、第１流体経路切り換え手段２１、第２流体経路切り換え手段２２により流路が切り換えられて運転モード１、運転モード２が切り換えられる。これにより、第１熱交換器１、第２熱交換器２のいずれか一方で、外気ＯＡが除湿流体とされて送風ＳＡとなると共に、第１熱交換器１、第２熱交換器２のいずれか他方で、還気ＲＡによりデシカント材に吸着された水分が脱着されて（デシカント材が再生されて）排気ＥＡとなる。
【０１０４】
上述した本発明の一実施例に係る流路切換え装置である第１流体経路切り換え手段２１、第２流体経路切り換え手段２２は、第１室と第２室との間で流体を流通させる際に、可動壁を往復移動させることで、第１室の一方側と第２室の一方側、第１室の他方側と第２室の他方側の流体の流通を可能にする第１状態と、第１室の一方側と第２室の他方側、第１室の他方側と第２室の一方側の流体の流通を可能にする第２状態との間で、流路が交互に切り換えられる。
【０１０５】
即ち、可動壁を移動させることで、仕切壁の流通穴と可動壁の挿通穴の連通する位置が可動壁の移動端で変更され（３つの挿通穴と４つの流通穴の開口部位の組み合わせが変更され）、流通穴と挿通穴の連通箇所が変更されて流路が切り換えられて第１状態と第２状態が達成される。これにより、３つの挿通穴を備えた可動壁を、４つの流通穴を備えた仕切壁に沿って往復移動させるだけの簡素な機構で、流体の流路を切り換えることができる。
【０１０６】
このため、比較的軽量の可動壁（第１可動壁３９、第２可動壁５９）を往復移動させるだけの簡素な機構で（小さな動力の機構で）流体の流路を切り換えることが可能になる。従って、デシカント熱交換器を備えた空調システムにおける、流入用の空調流体や排出用の還気の切換えの装置として適用しても、空調システムの装置が大型化することがない。
【０１０７】
本発明の流路切換え装置を適用する器機（設備）としては、流体（主に気体）の流路を切り換える機構が備えられる器機（設備）であれば種々の器機（設備）に適用することができる。空調システムの他に、例えば、発電設備におけるガスを精製、合成する設備や、燃料ガスを切り換える器機、化学プラントにおける流体の切換え機器等に適用することができる。
【産業上の利用可能性】
【０１０８】
本発明は、流路切換え装置の産業分野で利用することができる。
【符号の説明】
【０１０９】
１  第１熱交換器
２  第２熱交換器
３  冷却媒体供給手段
４  加熱媒体供給手段
５  媒体切り換え手段
７  冷却媒体源
８  加熱媒体源
９  冷却媒体流路
１０  加熱媒体流路
１１  冷却媒体流通経路
１２  加熱媒体流通経路
１３、１４  流通制御弁
１５、１６  切り換え弁
１８  制御手段
２１  第１流体経路切り換え手段
２２  第２流体経路切り替え手段
２３  顕熱交換器
２４  噴霧冷却器
３１  第１仕切壁
３２  第１一方側
３３  第１他方側
３４  第１側第１分割壁
３５  第１上側
３６  第１下側
３７  第１側第２分割壁
３９  第１可動壁
４１  上下分割壁
４２  上部
４３  下部
４４  上仕切壁
４５  下仕切壁
５１  第２仕切壁
５２  第２一方側
５３  第２他方側
５４  第２側第１分割壁
５５  第２上側
５６  第２下側
５７  第２側第２分割壁
５９  第２可動壁
６１  第１側第１一方流通穴
６２  第１側第２一方流通穴
６３  第１側第１他方流通穴
６４  第１側第２他方流通穴
６６  第１側第１挿通穴
６７  第１側第２挿通穴
６８  第１側第３挿通穴
７１  第２側第１一方流通穴
７２  第２側第２一方流通穴
７３  第２側第１他方流通穴
７４  第２側第２他方流通穴
７６  第２側第１挿通穴
７７  第２側第２挿通穴
７８  第２側第３挿通穴
【図１】
2018115822.tif 000003
【図２】
2018115822.tif 000004
【図３】
2018115822.tif 000005
【図４】
2018115822.tif 000006
【図５】
2018115822.tif 000007
【図６】
2018115822.tif 000008
【図７】
2018115822.tif 000009
【図８】
2018115822.tif 000010
【図９】
2018115822.tif 000011
【図１０】
2018115822.tif 000012
【図１１】
2018115822.tif 000013